(57)【特許請求の範囲】
【請求項１】
画像を表示可能な表示パネルと該表示パネルにおける画像の表示領域を外囲する額縁とを備える複数の画像表示装置を平面的に並べて構築されるマルチディスプレイ装置の前記額縁上に設置される額縁被覆部材であって、
額縁に臨んで配置される設置面と、該設置面に対して傾斜し、該額縁に隣接する表示領域からの出射光を反射する光反射面が形成された傾斜面とを有する棒状部と、
前記傾斜面に沿って延び、前記表示パネルを保護するための板状の保護パネルの端部を挿し込み可能な凹溝部とを含むことを特徴とする額縁被覆部材。
【請求項２】
前記棒状部は、互いに隣接する前記設置面と一対の前記傾斜面とを有し、三角柱形状に形成されていることを特徴とする請求項１記載の額縁被覆部材。
【請求項３】
前記凹溝部は、前記一対の傾斜面により形成される稜線と前記設置面との間の中央の位置に設けられていることを特徴とする請求項２記載の額縁被覆部材。
【請求項４】
画像表示装置に取り付けるための取付部であって、前記設置面に突設された挿込片と、該挿込片に対し、前記設置面から離反する方向への引張力を付与する引張部とを有する取付部をさらに含むことを特徴とする請求項１〜３のいずれか１つに記載の額縁被覆部材。
【発明の詳細な説明】
【技術分野】
【０００１】
本発明は、マルチディスプレイ装置において画像を表示することができない額縁を目立たなくさせるための額縁被覆部材に関する。
【背景技術】
【０００２】
近年、インフォメーションディスプレイおよび業務用ディスプレイとして、画像を表示可能な表示パネルを備える画像表示装置を複数台、平面的に隙間なく並べて配置することによって構築されるマルチディスプレイ装置が用いられるようになっている。
【０００３】
マルチディスプレイ装置は、大型の画面を容易に構築することができる反面、各画像表示装置間の継目部分に、ベゼルとも称される額縁が配置されるため、画像を表示することができない領域（以下、「非表示領域」と称する）が形成されることになる。これにより、マルチディスプレイ装置で表示される大型の画面は、格子状の線が入ったように見えてしまい、表示される画像の品位が低下してしまうという問題がある。
【０００４】
このような問題を解決するための従来技術が、たとえば特許文献１に提案されている。特許文献１に記載される従来技術では、映像表示部と映像表示部の外周に設けられた非表示部とを有する平面型ディスプレイを複数並べて構成されるマルチディスプレイ装置において、シリンドリカルレンズをその上面に対して垂直な方向に略均等に４分割した形状を成した光学要素を、映像表示部の周縁部と該周縁部に隣接する非表示部の両部分を跨ぐように、非表示部上に設置することが提案されている。
【０００５】
この特許文献１に記載される従来技術は、映像表示部の周縁部から発せられる光を、その周縁部を覆う前記光学要素によって屈折させることで非表示部側へ導き、非表示部が目立たなくなるようにしている。
【先行技術文献】
【特許文献】
【０００６】
【特許文献１】特開２００９−１６２９９９号公報
【特許文献２】特開２０１０−６０９０８号公報
【発明の概要】
【発明が解決しようとする課題】
【０００７】
ところで、従来から、画像表示装置において、表示パネルへの接触による汚れおよび衝撃による割れなどを防止することを目的として、表示パネルの前面に保護パネルが設けられる場合がある（たとえば、特許文献２参照）。
【０００８】
このような保護パネルをマルチディスプレイ装置において設置する場合、すべての表示パネルを覆うような一枚の大きな保護パネルを用いると、装置全体として製造コストが増大してしまう。そこで、このような問題を回避するために、各画像表示装置に対してそれぞれ、既存のサイズの保護パネルを設置するのが好ましい。
【０００９】
しかしながら、マルチディスプレイ装置において、既存の保護パネルを画像表示装置ごとに設置するためには、非表示領域に配置される額縁上に、保護パネルを保持させるための保持機構を設置する必要が生じる。最近では、狭額縁の画像表示装置で構築されたマルチディスプレイ装置が普及しており、保護パネルを保持する保持機構を額縁上に設置してしまうと、特許文献１に開示されるような、額縁を目立たなくさせるための部材を、額縁上に設置することができなくなってしまうという問題がある。
【００１０】
本発明の目的は、マルチディスプレイ装置における額縁を可及的に目立たなくさせるとともに、保護パネルを保持する機能を有する額縁被覆部材を提供することである。
【課題を解決するための手段】
【００１１】
本発明は、画像を表示可能な表示パネルと該表示パネルにおける画像の表示領域を外囲する額縁とを備える複数の画像表示装置を平面的に並べて構築されるマルチディスプレイ装置の前記額縁上に設置される額縁被覆部材であって、
額縁に臨んで配置される設置面と、該設置面に対して傾斜し、該額縁に隣接する表示領域からの出射光を反射する光反射面が形成された傾斜面とを有する棒状部と、
前記傾斜面に沿って延び、前記表示パネルを保護するための板状の保護パネルの端部を挿し込み可能な凹溝部とを含むことを特徴とする額縁被覆部材である。
【００１２】
また本発明は、前記棒状部は、互いに隣接する前記設置面と一対の前記傾斜面とを有し、三角柱形状に形成されていることを特徴とする。
【００１３】
また本発明は、前記凹溝部は、前記一対の傾斜面により形成される稜線と前記設置面との間の中央の位置に設けられていることを特徴とする。
【００１４】
また本発明は、画像表示装置に取り付けるための取付部であって、前記設置面に突設された挿込片と、該挿込片に対し、前記設置面から離反する方向への引張力を付与する引張部とを有する取付部をさらに含むことを特徴とする。
【発明の効果】
【００１５】
本発明によれば、額縁上に設置される棒状部は、額縁に隣接する表示領域からの出射光を反射する光反射面が形成された傾斜面を有するので、マルチディスプレイ装置を稼動させたとき、該傾斜面に対し、表示画像に色調や輝度などの表示特性が類似した画像を映すことができ、これにより、ベゼルを可及的に目立たなくさせて、マルチディスプレイ装置に表示される画像の品位の低下を防止することができる。併せて、傾斜面には、保護パネルを保持するための凹溝部が設けられているので、保護パネルを画像表示装置ごとに装着して表示パネルを保護することができる。
【図面の簡単な説明】
【００１６】
【図１】本発明の実施形態に係る額縁被覆部材３０が設置された状態のマルチディスプレイ装置１を示す正面図である。
【図２】図１の切断面線ＩＩ−ＩＩから見た断面図である。
【図３】額縁被覆部材３０が設置されていない状態のマルチディスプレイ装置１を示す正面図である。
【図４】図２における第１非表示領域Ｖ２１に配置される額縁被覆部材３０付近を拡大して示す断面図である。
【図５】額縁被覆部材３０による作用を説明するための図である。
【図６】図２における第１非表示領域Ｖ２１に配置される額縁被覆部材３０付近を拡大して示す断面図である。
【図７】図６における額縁被覆部材３０付近を、マルチディスプレイ装置１の背面側から見た図である。
【図８】図６の切断面線ＶＩＩＩ−ＶＩＩＩから見た断面図である。
【図９】第２非表示領域Ｖ２２に配置される額縁被覆部材３０の取付方法の一例を説明するための断面図である。
【図１０】第２非表示領域Ｖ２２に配置される額縁被覆部材３０の取付方法の他の例を説明するための側面図である。
【図１１】マルチディスプレイ装置１を組み立てる手順を示す図である。
【発明を実施するための形態】
【００１７】
図１は、本発明の実施形態に係る額縁被覆部材３０が設置された状態のマルチディスプレイ装置１を示す正面図である。図２は、図１の切断面線ＩＩ−ＩＩから見た断面図である。図３は、額縁被覆部材３０が設置されていない状態のマルチディスプレイ装置１を示す正面図である。なお、図１では、保護パネル４０を省略して示している。
【００１８】
マルチディスプレイ装置１は、画像情報に応じた画像を表示可能な表示パネル２０をそれぞれ備える複数の画像表示装置１０を、各表示パネル２０がマトリクス状にまたは一方向に沿って、平面的に並ぶように互いに隣接させて配置することによって構築される。
【００１９】
マルチディスプレイ装置１を構成する各画像表示装置１０には、図２および図３に示すように、矩形平板状に構成される表示パネル２０の厚み方向一方側の面であって、画像が表示される側の面（以下、「表示面」と称する）２０ａにおける矩形枠状の周縁領域を覆うように、額縁であるベゼル２１が設けられる。
【００２０】
ベゼル２１は、表示パネル２０の表示面２０ａにおける矩形枠状の周縁領域の形状に対応して、矩形枠状に形成されている。以下、画像表示装置１０を正面側（すなわち、表示面２０ａに対向する側）から見たとき、矩形枠状のベゼル２１において、一辺を成している部分を、「ベゼル辺部」と称する場合がある。すなわち、ベゼル２１は、長辺に対応する一対のベゼル辺部（図３において左右方向に延びるベゼル辺部）と、短辺に対応する一対のベゼル辺部（図３において上下方向に延びるベゼル辺部）とを含んでいる。
【００２１】
マルチディスプレイ装置１は、１つの画像を画像表示装置１０の配置に応じて分割した分割画像の画像情報を、各画像表示装置１０に対して与えることにより、複数の表示パネル２０で構成される大型の画面に、前記１つの画像を表示可能に構成されている。
【００２２】
各画像表示装置１０は、本実施形態では、表示パネル２０としての液晶パネルと、バックライト２２と、光学部材２３とを備える液晶表示装置によって実現されている。他の実施形態では、表示パネル２０としてプラズマディスプレイパネル（Plasma Display Panel）を備えるプラズマディスプレイ装置などによって実現されてもよい。
【００２３】
また、本実施形態では、４台の画像表示装置１０を縦横２×２のマトリクス状に並ぶように配置して構築されたマルチディスプレイ装置１を例に挙げて説明するが、他の配列のマルチディスプレイ装置１であってもよい。たとえば、１６台の画像表示装置１０を縦横４×４のマトリクス状に並ぶように配置して構築されたマルチディスプレイ装置、３台の画像表示装置１０を一方向に沿って並ぶように配置して構築されたマルチディスプレイ装置などであってもよい。
【００２４】
以下、図２および図３に示すように、表示パネル２０の表示面２０ａにおいて、ベゼル２１に覆われずに、外部に露出している領域を「表示領域」と称し、参照符Ｖ１を付して示す。すなわち、各画像表示装置１０の表示領域Ｖ１に、前記の分割画像が表示される。
【００２５】
また、マルチディスプレイ装置１を正面側から見たとき、ベゼル２１の表面が露出している領域を「非表示領域」と称し、参照符Ｖ２を付して示す。非表示領域Ｖ２のうち、特に、各表示領域Ｖ１によって挟まれる格子状の領域を「第１非表示領域」と称し、参照符Ｖ２１を付して示す。また、残余の領域、すなわち全ての表示領域Ｖ１および第１非表示領域Ｖ２１を外囲する矩形枠状の領域を「第２非表示領域」と称し、参照符Ｖ２２を付して示す。
【００２６】
本実施形態に係るマルチディスプレイ装置１は、図２に示すように、非表示領域Ｖ２に配置されるベゼル２１上に、額縁被覆部材３０が設置される。さらに、画像表示装置１０ごとに、保護パネル４０が額縁被覆部材３０によって保持されて設けられる。
【００２７】
本実施形態では、図１に示すように、第１非表示領域Ｖ２１に配置される、隣接する一対のベゼル辺部ごとに額縁被覆部材３０がそれぞれ設置されるとともに、第２非表示領域Ｖ２２に配置される各ベゼル辺部に額縁被覆部材３０がそれぞれ設置されている。
【００２８】
保護パネル４０は、表示パネル２０の接触による汚れおよび衝撃による割れなどを防止するために、表示パネル２０の前面側に、表示面２０ａに離間して設けられる。保護パネル４０は、矩形状に形成された無色透明、すなわち高い透光性を有する板状部材であり、本実施形態では強化ガラスによって実現されている。保護パネル４０は、表示面２０ａに対向する主面の縦横寸法が、画像表示装置１０における表示領域Ｖ１の縦横寸法よりも大きく、かつ画像表示装置１０の正面視におけるベゼル２１の外形の縦横寸法よりも小さくなるように形成されている。
【００２９】
図４は、図２における第１非表示領域Ｖ２１に配置される額縁被覆部材３０付近を拡大して示す断面図であり、画像表示装置１０については仮想線で示している。以下、額縁被覆部材３０の構成について詳細に説明する。
【００３０】
額縁被覆部材３０は、大略的に三角柱状に形成され、非表示領域Ｖ２に配置されるベゼル２１を覆うように該ベゼル２１上に設置される棒状部３１と、画像表示装置１０に取付可能に構成される取付部３２とを含んで構成される。
【００３１】
以下、棒状部３１の延びる方向（矢符Ｙで示す方向）を長手方向と称する。また、後述する設置面３３に平行で、かつ長手方向Ｙに垂直な方向（矢符Ｘで示す方向）を幅方向と称し、長手方向Ｙおよび幅方向Ｘのいずれにも垂直な方向（矢符Ｚで示す方向）を高さ方向と称する。
【００３２】
棒状部３１は、大略的に三角柱状に形成され、詳細には、図４に示すように、長手方向Ｙに垂直な仮想一平面で切断したときの断面の形状が、二等辺三角形となるように形成されている。
【００３３】
以下、棒状部３１において、前記二等辺三角形状の断面における底辺に対応する平坦な外表面を「設置面」と称し、斜辺に対応する平坦な外表面を「傾斜面」と称する。すなわち、棒状部３１は、長手方向Ｙに沿って延びる３つの外表面のうち、１つの外表面が設置面３３を成し、設置面３３以外の２つの外表面が傾斜面３４を成している。設置面３３は、棒状部３１をベゼル２１上に設置したときに、ベゼル２１に臨んで配置される面である。
【００３４】
棒状部３１は、ポリカーボネート樹脂、アクリル樹脂およびＡＢＳ（Acrylonitrile-Butadiene-Styrene）樹脂などの合成樹脂材料、またはステンレスなどの金属材料によって形成され、２つの傾斜面３４には、高い反射率で光を反射する光反射面がそれぞれ設けられる。
【００３５】
光反射面は、周知の方法によって形成される。たとえば棒状部３１が合成樹脂材料から成る場合には、アルミニウムなどの金属薄膜を真空蒸着することによって、各傾斜面３４に光反射面を形成することができる。また、棒状部３１が金属材料から成る場合には、鏡面加工を施すことによって、各傾斜面３４に光反射面を形成することができる。
【００３６】
また、棒状部３１には、前記の保護パネル４０を保持するために、光反射面が形成された各傾斜面３４に、長手方向Ｙの両端部間に亘って直線的に延びる凹溝部３５がそれぞれ設けられている。各凹溝部３５は、その溝の深さ方向が、棒状部３１の幅方向Ｘに一致し、また、棒状部３１の高さ方向Ｚにおいて、同一の高さ位置に設けられる。
【００３７】
棒状部３１において、各凹溝部３５の溝幅ｗは、保持すべき保護パネル４０の厚み寸法に応じて選択され、詳細には、保持すべき保護パネル４０の厚み寸法よりも僅かに大きくなるように選択される。
【００３８】
また、各凹溝部３５の深さは、保持すべき保護パネル４０の前記主面の縦寸法または横寸法に応じて選択され、詳細には、画像表示装置１０において、長辺または短辺に対応する一対の前記ベゼル辺部に額縁被覆部材３０をそれぞれ設置したときに、その２つの額縁被覆部材３０における互いに対向する２つの凹溝部３５に、保持すべき保護パネル４０の両端部をそれぞれ保持させることができ、かつ、棒状部３１に形成される２つの凹溝部３５が、棒状部３１の強度を十分に確保することができる程度の距離ｖだけＸ方向に互いに離間するように選択される。
【００３９】
棒状部３１において、２つの凹溝部３５の深さは、それぞれ異なっていてもよいが、本実施形態では、同一となるように選択されている。すなわち、本実施形態では、２つの凹溝部３５は、２つの傾斜面３４により形成される稜線３６を含み、かつ幅方向Ｘに垂直な仮想一平面に関して、面対称に設けられている。
【００４０】
棒状部３１に２つの凹溝部３５を設ける場合、高さ方向Ｚにおいて、中央の位置（すなわち、設置面３３と稜線３６との中間位置）に設けるのが好ましい。なぜなら、稜線３６に近接した位置に凹溝部３５を設けると、保護パネル４０を保持するのに十分な深さで凹溝部３５を形成したとき、凹溝部３５間の距離ｖが小さくなってしまい、棒状部３１の強度を十分に確保することができなくなってしまうという不具合が生じ、また、設置面３３に近接した位置に凹溝部３５を設けると、保護パネル４０よりも前方側に位置する光反射面の面積が増大し、保護パネル４０の表面で反射した外部の光による映り込みの影響を大きく受けることになるという不具合が生じるためである。
【００４１】
額縁被覆部材３０の棒状部３１は、本実施形態では、隣接する２つのベゼル辺部の幅（すなわち、ベゼル辺部の延びる方向に垂直な方向の寸法）を足し合わせた寸法が約７ｍｍであるマルチディスプレイ装置１を設置対象として形成されており、設置面３３の幅方向Ｘの寸法が、９ｍｍ〜１１ｍｍ程度に選択されている。
【００４２】
また、設置面３３と傾斜面３４とが成す角の角度である傾斜角θは、４５°以上９０°未満の範囲が好ましく、本実施形態では、６０°に選択されている。したがって、本実施形態では、棒状部３１の高さ方向Ｚの寸法は、８ｍｍ〜１０ｍｍ程度であり、２つの凹溝部３５は、設置面３３から４ｍｍ〜５ｍｍ程度の高さ位置に設けられている。また、保護パネル４０の厚み寸法は、たとえば０．５ｍｍ〜１ｍｍ程度である。
【００４３】
図５は、額縁被覆部材３０による作用を説明するための図である。マルチディスプレイ装置１を稼動させると、各表示領域Ｖ１には画像情報に応じた画像が表示される。このとき、表示領域Ｖ１周縁の反射対象領域Ｖ１１から表示画像に応じて出射される出射光のうち、一部の出射光が、その反射対象領域Ｖ１１に臨む傾斜面３４に入射する。傾斜面３４に入射した出射光は、傾斜面３４に設けられた光反射面で反射し、マルチディスプレイ装置１の正面側へ導かれる。
【００４４】
これにより、マルチディスプレイ装置１の表示画面を正面側から視認したとき、第１非表示領域Ｖ２１には、各反射対象領域Ｖ１１に表示される表示画像の反転画像が表示される。前記のように、傾斜面３４の傾斜角θが６０°であるときには、ベゼル２１の幅の約２倍の幅寸法の反射対象領域Ｖ１１の表示画像が、約１／２サイズで傾斜面３４に表示される。
【００４５】
傾斜面３４に設けられる光反射面に映った反転画像は、反射対象領域Ｖ１１の表示画像に色調や輝度などの表示特性が類似しているので、ベゼル２１の表面が露出している場合に比べて、マルチディスプレイ装置１を正面側から視認する看者に対し、第１非表示領域Ｖ２１に配置されるベゼル２１を可及的に目立たなくさせることができる。したがって、各表示領域Ｖ１に表示される画像の一体感が増し、マルチディスプレイ装置１に表示される画像の品位の低下を防止することができる。
【００４６】
棒状部３１の傾斜角θは、大きければ大きいほど、ベゼル２１近辺の出射光を反射し易いが、あまり傾斜角θを大きくすると、棒状部３１の高さ方向Ｚの寸法が大きくなりすぎてしまい、幅方向Ｘに作用する外力などによる曲げ荷重に対して構造上弱くなるため、傾斜角θは６０°〜８０°が好適である。
【００４７】
なお、傾斜面３４に保護パネル４０の端部を保持するための凹溝部３５が設けられていることにより、図５に示すように、直線状の非反射領域が存在してしまうが、大型画面化および狭額縁化された近年の画像表示装置１０においては、かかる非反射領域は、非常に微細な線となり目立つことはない。
【００４８】
以下、額縁被覆部材３０における取付部３２の構成、および額縁被覆部材３０のマルチディスプレイ装置１への取付方法について説明する。図６は、図２における第１非表示領域Ｖ２１に配置される額縁被覆部材３０付近を拡大して示す断面図である。図７は、図６における額縁被覆部材３０付近を、マルチディスプレイ装置１の背面側から見た図である。図８は、図６の切断面線ＶＩＩＩ−ＶＩＩＩから見た断面図である。
【００４９】
本実施形態に係る額縁被覆部材３０は、前述するように、画像表示装置１０に取付可能に構成される取付部３２を含んで構成される。取付部３２は、画像表示装置１０間の隙間ｄに挿し込まれる挿込片５１と、挿込片５１に対し、設置面３３から離反する方向への引張力を付与する引張部とを備え、該引張部は、基材５２と、引張片５３と、ビスなどによって実現されるねじ部材５４とを含む。
【００５０】
本実施形態では、取付部３２によって額縁被覆部材３０をマルチディスプレイ装置１へ設置するために、隣接する画像表示装置１０の間には、挿込片５１を挿込可能な間隔の微小な隙間ｄが設けられている。
【００５１】
挿込片５１は、棒状部３１の設置面３３から垂直に立設する矩形板状の部分であり、長手方向Ｙに延設されている。挿込片５１には、その厚み方向（すなわち、幅方向Ｘ）に貫通する貫通孔５６が、先端部５１ａ寄りの位置に形成されている。貫通孔５６は、高さ方向Ｚに垂直な一対の内周面および長手方向Ｙに垂直な一対の内周面によって、矩形状に形成されている。挿込片５１は、設置面３３をベゼル２１に当接させたとき、貫通孔５６の一部が画像表示装置１０の背面１０ａよりも背面側に配置されるように、その寸法が選択されている。
【００５２】
挿込片５１は、棒状部３１と一体化しており、本実施形態では、棒状部３１と挿込片５１とは一体的に成形されている。他の実施形態では、棒状部３１と挿込片５１とを別部材とし、締結などの方法により挿込片５１が棒状部３１に固定されてもよい。また、挿込片５１は、長手方向Ｙに沿って複数設けられてもよい。
【００５３】
基材５２は、矩形状に形成された板状部材であり、その厚み方向に貫通する矩形状の貫通孔５７が中央部に形成される。貫通孔５７は、挿込片５１を挿通可能な大きさに形成されている。
【００５４】
引張片５３は、一方向に沿って延びる短冊状に形成された板状部材であり、その長辺方向が幅方向Ｘに、かつその厚み方向が高さ方向Ｚに一致するような姿勢で、挿込片５１に形成される貫通孔５６に挿通できるような大きさに形成されている。また、引張片５３には、その長辺方向の両端部の近傍に、ねじ部材５４を螺合可能なねじ孔が、その厚み方向に貫通してそれぞれ形成されている。
【００５５】
額縁被覆部材３０をマルチディスプレイ装置１に取り付ける際には、先ず、隣接する２つの画像表示装置１０間の隙間ｄに挿込片５１を挿し込んで、額縁被覆部材３０をベゼル２１上に設置する。次に、画像表示装置１０の背面１０ａから突出した挿込片５１が貫通孔５７を貫通するように、基材５２を、画像表示装置１０の各背面１０ａに当設させる。
【００５６】
この状態で、引張片５３を、挿込片５１の貫通孔５６に挿通させ、さらに、２つのねじ孔に対し、マルチディスプレイ装置１の背面側からねじ部材５４を螺合させる。このとき、ねじ部材５４を基材５２に向かって螺進させると、引張片５３は、ねじ部材５４の頭部に向かって相対的に移動する。２つのねじ部材５４をある程度螺進させると、ねじ部材５４の軸部の先端と基材５２とが当設するとともに、引張片５３の厚み方向一方側の表面と、挿込片５１における、高さ方向Ｚに垂直な前記内周面とが当接する。
【００５７】
この状態から、さらに２つのねじ部材５４を螺進させると、ねじ部材５４の頭部に向かって相対的に移動する引張片５３によって、挿込片５１に対し、マルチディスプレイ装置１の背面側に向かう方向への引張力が付与される。この引張力により、ベゼル２１には、設置面３３を介して棒状部３１から押圧力が付与される。これにより、棒状部３１と基材５２とによって画像表示装置１０の周縁部を固く挟持した状態で、額縁被覆部材３０がベゼル２１上に固定して取り付けられる。
【００５８】
本実施形態では、挿込片５１、基材５２および引張片５３は樹脂材料によって形成されているが、他の実施形態では、金属材料によって形成されてもよい。
【００５９】
図９は、第２非表示領域Ｖ２２に配置される額縁被覆部材３０の取付方法の一例を説明するための断面図である。図９に示す例では、マルチディスプレイ装置１を設置するための架台用の化粧カバー６１を利用して、額縁被覆部材３０が取り付けられる。具体的には、化粧カバー６１の背面側に、画像表示装置１０の背面１０ａと面一な取付面６２ａを有する取付支持具６２を設置し、化粧カバー６１および取付支持具６２と画像表示装置１０との間に設けられた隙間に、額縁被覆部材３０の挿込片５１を挿し込み、前記と同様の方法によって取り付けられる。
【００６０】
図１０は、第２非表示領域Ｖ２２に配置される額縁被覆部材３０の取付方法の他の例を説明するための側面図である。図１０に示す例では、額縁被覆部材３０における取付部３２の挿込片５１に、ねじ部材５４を螺合可能なねじ孔を設けるとともに、ベゼル２１にも同様に、ねじ部材５４を螺合可能なねじ孔を設け、ねじ部材５４によって直接、締結固定される。
【００６１】
なお、図９に示されるように、第２非表示領域Ｖ２２に配置される額縁被覆部材３０における、一方の凹溝部３５にしか保護パネル４０が装着されない。すなわち、第２非表示領域Ｖ２２に配置される額縁被覆部材としては、１つの傾斜面３４にのみ凹溝部３５が設けられているものであればよく、たとえば前述する棒状部３１において凹溝部３５を１つだけ設けたものであってもよく、前述する棒状部３１を、稜線３６を含み、かつ設置面３３に垂直な仮想一平面で切断したような形状に形成されたものであってもよい。
【００６２】
図１１は、マルチディスプレイ装置１を組み立てる手順を示す図である。なお、理解を容易にするために、保護パネル４０の表面を、破線のハッチングを付して示している。
【００６３】
先ず、マルチディスプレイ装置１の最下段に配置されるべき画像表示装置１０を隣接して設置し、各画像表示装置１０に額縁被覆部材３０を前述する方法で取り付ける。このとき、４つの前記ベゼル辺部のうち、上方に配置されるベゼル辺部を除く３つのベゼル辺部に対して、額縁被覆部材３０をそれぞれ取り付ける（図１１（ａ））。これにより、各画像表示装置１０において、Ｕ字を形成するように３つの凹溝部３５が連接される。
【００６４】
次に、装着すべき保護パネル４０を準備し（図１１（ｂ））、Ｕ字状に連なる凹溝部３５に対して、上方から保護パネル４０を挿し込んで装着する（図１１（ｃ））。これにより、３つの凹溝部３５内には、保護パネル４０における３つの端部が保持される。次に、保護パネル４０が装着された各画像表示装置１０の上段に配置されるべき画像表示装置１０を設置し、前記と同様に、上方に配置されるベゼル辺部を除く３つのベゼル辺部に対して、額縁被覆部材３０をそれぞれ取り付ける（図１１（ｄ））。
【００６５】
そして、装着すべき保護パネル４０を準備し（図１１（ｅ））、Ｕ字状に連なる凹溝部３５に対して、上方から保護パネル４０を挿し込んで装着するとともに、上方に配置されるベゼル辺部に対して、額縁被覆部材３０をそれぞれ取り付ける（図１１（ｆ））。これにより、画像表示装置１０ごとに保護パネル４０が設けられたマルチディスプレイ装置１の組み立てが終了する。
【００６６】
以上のように、本実施形態に係る額縁被覆部材３０をマルチディスプレイ装置１におけるベゼル２１上に設置することにより、ベゼル２１を可及的に目立たなくさせて、マルチディスプレイ装置１に表示される画像の品位の低下を防止することができるとともに、保護パネル４０により各画像表示装置１０の表示パネル２０を保護することができる。
【００６７】
また、額縁被覆部材３０において、保護パネル４０の端部を保持するための凹溝部３５が、設置面３３と稜線３６との間の中央位置に設けられているので、棒状部３１における強度を十分に確保することができるとともに、外部光による映り込みの影響を可及的に抑制することができる。
【００６８】
また、額縁被覆部材３０には、画像表示装置１０へ取り付けるための取付部３２が設けられ、該取付部３２は、設置面３３に突設された挿込片５１を有し、画像表示装置１０間の隙間ｄに挿し込まれた挿込片５１に対し、マルチディスプレイ装置１の背面側に向かう方向への引張力を付与するように構成されている。したがって、額縁被覆部材３０をベゼル２１上に固定して設置することができ、保護パネル４０を確実に支持することができる。
【符号の説明】
【００６９】
１  マルチディスプレイ装置
１０  画像表示装置
２０  表示パネル
２０ａ  表示面
２１  ベゼル
３０  額縁被覆部材
３１  棒状部
３２  取付部
３３  設置面
３４  傾斜面
３５  凹溝部
Ｖ１  表示領域
Ｖ１１  反射対象領域
Ｖ２  非表示領域
Ｖ２１  第１非表示領域
Ｖ２２  第２非表示領域
【図１】
0005690659.tif 000002
【図２】
0005690659.tif 000003
【図３】
0005690659.tif 000004
【図４】
0005690659.tif 000005
【図５】
0005690659.tif 000006
【図６】
0005690659.tif 000007
【図７】
0005690659.tif 000008
【図８】
0005690659.tif 000009
【図９】
0005690659.tif 000010
【図１０】
0005690659.tif 000011
【図１１】
0005690659.tif 000012